(57)【要約】【目的】  ポンプの前後にアンローダーバルブを介して連通させる帰還管路を設けた場合に問題となる洗浄水の高温化を確実に防止するスプレー洗浄装置を提供する。【構成】  ポンプ８の前後にアンローダーバルブ１２を介して連通させる帰還管路１１を設け、スプレーガン１０の手元弁が閉じられた時、余水を帰還管路１１に流しポンプ８にかかる負荷を逃がすスプレー洗浄装置であって、前記帰還管路１１にサーミスター１３と、一端を前記スプレーガン１０と帰還管路１１との間に連通させ、他方を電磁弁１５を介して大気開放させた排水管路１６とを設け、帰還管路１１に流れる洗浄水の温度が所定温度以上となると、電磁弁１５を開放させる制御手段１４を設けたスプレー洗浄装置。【選択図】  図１
2005349331.tif 000002
【特許請求の範囲】
【請求項１】
冷水・温水・洗剤水等のそれぞれ異なる２種類以上の洗浄水を切り換えてポンプで圧送し、手元弁付きのスプレーガンより噴射させる方式のスプレー洗浄装置において、
前記ポンプの吐出側と吸込側とをアンローダーバルブを介して洗浄水を帰還させる帰還管路と、該帰還管路に介設され帰還管路内を流れる洗浄水の温度を検出する温度検出手段と、一端を前記スプレーガンと前記帰還管路との間に連通させ、他方を電磁弁を介して大気開放させた排水管路と、前記温度検出手段が所定温度以上を検出すると前記電磁弁を開放させる制御手段とを備えたことを特徴とするスプレー洗浄装置。
【発明の詳細な説明】
【技術分野】
【０００１】
本発明は、冷水・温水・洗浄水等のそれぞれ異なる２種類以上の洗浄水をポンプで圧送し手元弁付きのスプレーガンにより噴射させる方式のスプレー洗浄装置に関するものである。
【背景技術】
【０００２】
従来より、冷水・温水・洗剤水等のそれぞれ異なる２種類以上の洗浄水を切り換えてポンプで圧送し、手元弁付きのスプレーガンより噴射させる方式のスプレー洗浄装置が下記特許文献１に記載されている。そして、このスプレー洗浄装置では、手元弁を閉じるとアンローダーバルブが開き、洗浄水が帰還管路に流れ、ポンプに高負荷がからないようにしている。しかしながら、この状態のままにしておくと、やはりポンプにはある程度負荷がかかり続けることになるため、アンローダーバルブが開いたことを検出してから所定時間が経過したらポンプも停止するようになっている。
【０００３】
また、本願出願人が先に出願した下記特許文献２には、帰還管路を流れる洗浄水の温度を検出する温度検出手段を設け、所定温度以上を検出したらポンプを停止させる装置が記載されている。
【特許文献１】特開昭６３−１０４６９１号公報
【特許文献２】特願２００４−１６７７０７号明細書
【発明の開示】
【発明が解決しようとする課題】
【０００４】
しかしながら、特許文献１には記載されていないが、スプレーガンの手元弁が閉じられアンローダーバルブが開き、ポンプの吐出側から吐出される洗浄水が帰還管路を通ってポンプの吸込側に吸い込まれていくという循環が継続されることにより、管路抵抗による摩擦熱及びポンプの駆動熱がこの循環している洗浄水に蓄積されていき、やがて洗浄水が異常高温になり、ポンプ内や各管路の接続部に配設されているシール部材の劣化を促進し、さらにより高温となった場合には管路内の洗浄水が沸騰し気泡が発生して、次回スプレー噴射時にはこの気泡の影響で、正常な噴射ができなくなるおそれがあった。
【０００５】
ところで、特許文献１に記載された装置では、所定時間が経過したらポンプを停止させているため、このような現象を或る程度は防止できるが、装置の個体差、洗浄水の種類、外気温等により異なる洗浄水の温度上昇時間の違いには対応できず、例えば、設定されている所定時間が長すぎて異常高温になっているにもかかわらず、暫くはポンプが停止しなかったり、逆に所定時間が短すぎて、洗浄水を切り換えたり、対象となる洗浄部位を変えるため手元弁を一時的に閉じただけなのに、その間にポンプが停止してしまい、都度ポンプを再始動させなくてならない場合が生じる可能性がある。
【０００６】
そして、このような問題を解決するため、本願出願人は特許文献２に記載した装置を発明したが、この装置でも、帰還管路を流れる洗浄水が異常高温になるのは確実に防止できるのだか、一旦ポンプが停止してしまうと、その洗浄水の温度が或る程度まで下がらないとポンプが再駆動しないようになっているため、装置を使用できない時間が発生することがある。
【課題を解決するための手段】
【０００７】
このような課題を解決するために本発明は、冷水・温水・洗剤水等のそれぞれ異なる２種類以上の洗浄水を切り換えてポンプで圧送し、手元弁付きのスプレーガンより噴射させる方式のスプレー洗浄装置において、前記ポンプの吐出側と吸込側とをアンローダーバルブを介して洗浄水を帰還させる帰還管路と、該帰還管路に介設され帰還管路内を流れる洗浄水の温度を検出する温度検出手段と、一端を前記スプレーガンと前記帰還管路との間に連通させ、他方を電磁弁を介して大気開放させた排水管路と、前記温度検出手段が所定温度以上を検出すると前記電磁弁を開放させる制御手段とを備えたスプレー洗浄装置を提供することを要旨とするものである。
【発明の効果】
【０００８】
本発明の装置は以上のように構成されるので、時間や温度でポンプを停止制御するのでなく、帰還管路に循環している洗浄水の温度が所定温度以上になったときに排水管路の電磁弁を開き、帰還流路に循環している洗浄水を一気に排水して、新たな低温の洗浄水をポンプが吸い込んでくるため、確実に帰還管路に循環している洗浄水の異常な温度上昇を防止でき、そのため、ポンプその他シール部材の保護が確実に図れる。
【０００９】
また、洗浄水を一気に排水管路から排水してしまうため、帰還管路循環している洗浄水が低温の洗浄水と入れ替わり、ポンプを停止させる場合に比較し、ポンプを再起動させることなく、連続して洗浄水の切替ができたり、一時停止と再噴射をタイムラグなくできるようになる。
【実施例】
【００１０】
以下、図面を基に、本発明の実施例について説明する。図１は本発明の実施例の全体構成図である。図において、１はスプレー洗浄装置本体で、本体内上部には洗浄水の切替や装置の駆動・停止を行うためのスイッチ類等で構成される操作部２が設けてあり、底部には水タンク３と洗剤タンク４が設けてある。それぞれのタンク３，４内には吸込管路５が分岐され電磁弁６，７を介して挿入されており、吸込管路５の他方はポンプ８の吸込側に接続されている。ポンプ８の吐出側には吐出管路９が接続されており、先端には手元弁付スプレーガン１０が接続されている。ポンプ８の吐出側と吸込側とにはそれぞれを連通する帰還管路１１が設けてあり、途中に流量調整可能なアンローダーバルブ１２を介して、スプレーガン１０の手元弁が閉じられた時に余水を流してポンプ８にかかる負荷を軽減させるようになっている。また、帰還管路１１にはこの管路内を流れる洗浄水の温度を検出するための温度検出手段たるサーミスター１３が設けてある。そして、帰還管路１１の下流側には、先端を本体１外に大気開放し、電磁弁１５を介した排水管路１６が分岐してある。
【００１１】
１４はリレーやマイコンからなる制御手段であり、操作部２やサーミスター１３からの信号を受け、ポンプ８や電磁弁６，７，１５を制御できるようになっている。
【００１２】
次に洗浄動作を説明する。
【００１３】
まず、作業者は操作部２の洗浄水切替スイッチにて水を選択し、続けてポンプ駆動スイッチをオンする。すると、その信号を受けた制御手段１４は電磁弁６を開放し、ポンプ８を駆動させる。この状態で、作業者がほどなくスプレーガン１０を構え、ノズル先端を洗浄対象物に向けて手元弁を開放すれば、水が高圧で噴射されるのであるが、何かの都合ですぐには洗浄せず、しばらくの間そのまま放置しておいたとすると、ポンプ８の吐出側から吐出される水はアンローダーバルブ１３により帰還管路１１を経て再びポンプ８の吸込側に吸入される。この循環が長時間繰り返されることにより、管路１１と洗浄水との摩擦抵抗及びポンプ８の発熱により循環している洗浄水の温度が上昇してくる。やがてその温度がサーミスター１３に設定されている所定温度（シール部材等に影響のない温度）以上を検出するとその信号を受けた制御手段１４は、電磁弁１５を開放し、温度上昇した洗浄水を排水管路１６から排水すると共に、水タンクから新たな低温の洗浄水を吸水し、帰還管路１１内の洗浄水の温度低下を図る。これにより、スプレーガン１０を放置しておいても、何ら悪影響が発生することはない。
【００１４】
その後、帰還管路１１内の洗浄水の温度が低下したことをサーミスター１３が検出すると（所定時間経過もしくは温度低下検出後、所定時間経過でもよい）、制御手段１４では、電磁弁１５を閉塞させる。この動作はスプレーガン１０の手元弁が開放されるまで繰り返されるが、温度低下に要する時間はごく僅かであり、よって電磁弁１５が開放されている時間もごく僅かであるため、作業者は手元弁を開くと直ぐに洗浄を再開できる。
【００１５】
水での予備洗浄が終了したら、操作部２の洗浄水切替スイッチで洗剤を選択する。するとその信号を受けた制御手段１４は、電磁弁６を閉じ、かわりに電磁弁７を開放して、洗剤が噴射できる状態とする。そして作業者はスプレーガン１０の手元弁を開いて洗剤での本洗浄を行い、同様にして再度水で仕上げ洗浄を行い洗浄終了となる。これらの作業中も前述したように、何らかの都合によりスプレーガン１０の手元弁が閉じられたままの状態で放置されているときには、帰還管路１１の洗浄水温度により電磁弁１５の開放・閉塞が繰り返されている。
【図面の簡単な説明】
【００１６】
【図１】本発明の一実施例である装置の全体構成図である。
【符号の説明】
【００１７】
１  スプレー洗浄装置
３  水タンク
４  洗剤タンク
５  吸込管路
６  電磁弁
７  電磁弁
８  ポンプ
９  吐出管路
１０  スプレーガン
１１  帰還管路
１２  アンローダーバルブ
１３  サーミスター
１４  制御手段
１５  電磁弁
１６  排水管路
【図１】
2005349331.tif 000003